(57)【要約】  本発明は、空気清浄通知方法、装置、プログラム、記録媒体、ユーザデバイス及びシステムに関する。前記空気清浄通知方法は、空気清浄機が配置された空間の内部の空気品質データ、及び、空気清浄機が配置された空間の外部の空気品質データの中の少なくとも一つを含む空気品質データを取得するステップと、前記空気品質データに基づいて、通知の必要があるか否かを判断するステップとを含む。本発明によると、空気清浄機が配置された空間の内部、及び外部の空気品質データに基づいて、通知の必要があるか否かを判断し、また、通知の必要があると特定されると、通知の種類を特定することにより、ユーザに、互いに異なる種類の通知に基づいて関連する制御操作を行うようにすることができるため、操作がもっと便利になり、ユーザエクスペリエンスを改善した。【選択図】  図１
2017500534.tif 000002
【特許請求の範囲】
【請求項１】
空気清浄機が配置された空間の内部の空気品質データ、及び、空気清浄機が配置された空間の外部の空気品質データの中の少なくとも一つを含む空気品質データを取得するステップと、
前記空気品質データに基づいて、通知の必要があるか否かを判断するステップと
を含むことを特徴とする空気清浄通知方法。
【請求項２】
前記空気品質データに基づいて、通知の必要があるか否かを判断するステップは、
前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断するステップを含む
ことを特徴とする請求項１に記載の空気清浄通知方法。
【請求項３】
前記空気品質データに基づいて、通知の必要があるか否かを判断するステップは、
前記空気品質データに基づいて、前記空気清浄機が配置された空間の内部の空気品質が予め設定した値より悪いと判断され、且つ、前記空気清浄機がオフされている場合、第２種類の通知の必要があると判断するステップを含む
ことを特徴とする請求項１に記載の空気清浄通知方法。
【請求項４】
前記空気品質データに基づいて、通知の必要があるか否かを判断するステップは、
前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断するステップを含む
ことを特徴とする請求項１に記載の空気清浄通知方法。
【請求項５】
空気品質データを取得するステップは、空気品質センサを用いて、前記空気清浄機が配置された空間の内部の空気品質データ、及び、前記空気清浄機が配置された空間の外部の空気品質データを取得するステップ、及び、インターネットを介して、前記空気清浄機が配置された空間の外部の空気品質データをリアルタイムに取得し、空気品質センサを用いて、前記空気清浄機が配置された空間の内部の空気品質データを取得するステップの中のいずれか一つを含む
ことを特徴とする請求項１に記載の空気清浄通知方法。
【請求項６】
通知の必要があると判断した場合、該当する通知情報を発するステップ
をさらに含むことを特徴とする請求項１乃至４のいずれか１項に記載の空気清浄通知方法。
【請求項７】
ユーザにより、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うステップ
をさらに含むことを特徴とする請求項６に記載の空気清浄通知方法。
【請求項８】
前記通知は、一日内に一回通知する方式、一日内に複数回通知する方式、終日通知しない方式、及び、特定時間帯に通知しない方式の中のいずれか一つ、又は、複数に設定される
ことを特徴とする請求項１乃至４のいずれか１項に記載の空気清浄通知方法。
【請求項９】
前記空気清浄通知方法は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスによって実行される
ことを特徴とする請求項１に記載の空気清浄通知方法。
【請求項１０】
空気清浄機が配置された空間の内部の空気品質データ、及び、空気清浄機が配置された空間の外部の空気品質データの中の少なくとも一つを含む空気品質データを取得するための取得モジュールと、
前記空気品質データに基づいて、通知の必要があるか否かを判断するための判断モジュールと
を備えることを特徴とする空気清浄通知装置。
【請求項１１】
前記空気品質データに基づいて、通知の必要があるか否かを判断する方法は、
前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断する方法を含む
ことを特徴とする請求項１０に記載の空気清浄通知装置。
【請求項１２】
前記空気品質データに基づいて、通知の必要があるか否かを判断する方法は、
前記空気品質データに基づいて、前記空気清浄機が配置された空間の内部の空気品質が予め設定した値より悪いと判断され、且つ、前記空気清浄機がオフされている場合、第２種類の通知の必要があると判断する方法を含む
ことを特徴とする請求項１０に記載の空気清浄通知装置。
【請求項１３】
前記空気品質データに基づいて、通知の必要があるか否かを判断する方法は、
前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断する方法を含む
ことを特徴とする請求項１０に記載の空気清浄通知装置。
【請求項１４】
空気品質データを取得する方法は、取得モジュールにより、空気品質センサを用いて、前記空気清浄機が配置された空間の内部の空気品質データ、及び、前記空気清浄機が配置された空間の外部の空気品質データを取得する方法、及び、取得モジュールにより、インターネットを介して、前記空気清浄機が配置された空間の外部の空気品質データをリアルタイムに取得し、空気品質センサを用いて、前記空気清浄機が配置された空間の内部の空気品質データを取得する方法の中のいずれか一つを含む
ことを特徴とする請求項１０に記載の空気清浄通知装置。
【請求項１５】
通知の必要があると判断した場合、該当する通知情報を発するための通知モジュールをさらに備える
ことを特徴とする請求項１０乃至１３のいずれか１項に記載の空気清浄通知装置。
【請求項１６】
ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される
ことを特徴とする請求項１０に記載の空気清浄通知装置。
【請求項１７】
前記通知は、一日内に一回通知する方式、一日内に複数回通知する方式、終日通知しない方式、及び、特定時間帯に通知しない方式の中のいずれか一つ、又は、複数に設定される
ことを特徴とする請求項１０乃至１３のいずれか１項に記載の空気清浄通知装置。
【請求項１８】
前記空気清浄通知装置は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスを含む
ことを特徴とする請求項１０に記載の空気清浄通知装置。
【請求項１９】
請求項１０乃至１８のいずれか１項に記載の空気清浄通知装置と、
ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールと
を備えることを特徴とするユーザデバイス。
【請求項２０】
空気清浄機と、
請求項１９に記載のユーザデバイスと
を備えることを特徴とする空気清浄システム。
【発明の詳細な説明】
【関連出願の相互参照】
【０００１】
本願は、出願番号がＣＮ２０１４１０５９４６０８．１であって、出願日が２０１４年１０月２９日である中国特許出願に基づいて優先権を主張し、当該中国特許出願のすべての内容を援用する。
【技術分野】
【０００２】
本発明は、空気清浄通知方法、装置、ユーザデバイス及びシステムに関し、特に、空気清浄機が配置された空間の内部、及び外部の空気品質データに基づいて、該当する種類の通知を特定する空気清浄通知方法、装置、ユーザデバイス及びシステムに関する。
【背景技術】
【０００３】
空気清浄機は、空気を清浄するための家電製品である。スモッグ（ｆｏｇ  ａｎｄ  ｈａｚｅ）の頻繁の出現に伴い、空気品質も人々にもっと重視させられて、空気清浄機もますます広く使用されている。
【０００４】
しかし、従来の空気清浄機は、インテリジェント・通知の点で不備が存在するため、その使用範囲が制限され、ユーザエクスペリエンスに影響を与える。関連技術において、一般的には、空気清浄機にディスプレイモジュール或いはスピーカーモジュールを配置して、ディスプレイに情報を表示させるか、或いは、音声を出力する方法によって、ユーザに関連する情報を通知する。このため、ユーザは、空気清浄機に近づいて関連情報を照会したり聞く必要があり、通知情報を了解した後に、さらに、空気清浄機に近づいて関連する制御操作を行う必要がある。なお、関連技術において、空気清浄機は、オンされた後に空気清浄機の周囲の空気品質を検出し、さらに、空気品質データをユーザに通知する必要がある。また、ユーザは、自分で空気品質データを判断した後に、該当する操作を特定してから、手動で関連する制御操作を行う必要があるため、操作が不便である。
【発明の概要】
【発明が解決しようとする課題】
【０００５】
本発明は、関連技術に存在する問題を解決するために、空気清浄通知方法、装置、ユーザデバイス及びシステムを提供する。
【課題を解決するための手段】
【０００６】
本発明に係る実施例の第１の態様によると、空気清浄通知方法を提供する。前記空気清浄通知方法は、空気清浄機が配置された空間の内部の空気品質データ、及び、空気清浄機が配置された空間の外部の空気品質データの中の少なくとも一つを含む空気品質データを取得するステップと、前記空気品質データに基づいて、通知の必要があるか否かを判断するステップとを含む。
【０００７】
オプションとして、前記空気清浄通知方法において、前記空気品質データに基づいて、通知の必要があるか否かを判断するステップは、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断するステップを含む。
【０００８】
オプションとして、前記空気清浄通知方法において、前記空気品質データに基づいて、通知の必要があるか否かを判断するステップは、前記空気品質データに基づいて、前記空気清浄機が配置された空間の内部の空気品質が予め設定した値より悪いと判断され、且つ、前記空気清浄機がオフされている場合、第２種類の通知の必要があると判断するステップを含む。
【０００９】
オプションとして、前記空気清浄通知方法において、前記空気品質データに基づいて、通知の必要があるか否かを判断するステップは、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断するステップを含む。
【００１０】
オプションとして、前記空気清浄通知方法において、空気品質データを取得するステップは、空気品質センサを用いて、前記空気清浄機が配置された空間の内部の空気品質データ、及び、前記空気清浄機が配置された空間の外部の空気品質データを取得するステップ、及び、インターネットを介して、前記空気清浄機が配置された空間の外部の空気品質データをリアルタイムに取得し、空気品質センサを用いて、前記空気清浄機が配置された空間の内部の空気品質データを取得するステップの中のいずれか一つを含む。
【００１１】
オプションとして、前記空気清浄通知方法において、通知の必要があると判断した場合、該当する通知情報を発するステップをさらに含む。
【００１２】
オプションとして、前記空気清浄通知方法において、ユーザにより、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うステップをさらに含む。
【００１３】
オプションとして、前記空気清浄通知方法において、前記通知は、一日内に一回通知する方式、一日内に複数回通知する方式、終日通知しない方式、及び、特定時間帯に通知しない方式の中のいずれか一つ、又は、複数に設定される。
【００１４】
オプションとして、上述の空気清浄通知方法は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスによって実行される。
【００１５】
本発明に係る実施例の第２の態様によると、空気清浄通知装置を提供する。前記空気清浄通知装置は、空気清浄機が配置された空間の内部の空気品質データ、及び、空気清浄機が配置された空間の外部の空気品質データの中の少なくとも一つを含む空気品質データを取得するための取得モジュールと、前記空気品質データに基づいて、通知の必要があるか否かを判断するための判断モジュールとを備える。
【００１６】
オプションとして、前記空気清浄通知装置によると、前記空気品質データに基づいて、通知の必要があるか否かを判断する方法は、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断する方法を含む。
【００１７】
オプションとして、前記空気清浄通知装置によると、前記空気品質データに基づいて、通知の必要があるか否かを判断する方法は、前記空気品質データに基づいて、前記空気清浄機が配置された空間の内部の空気品質が予め設定した値より悪いと判断され、且つ、前記空気清浄機がオフされている場合、第２種類の通知の必要があると判断する方法を含む。
【００１８】
オプションとして、前記空気清浄通知装置によると、前記空気品質データに基づいて、通知の必要があるか否かを判断する方法は、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断する方法を含む。
【００１９】
オプションとして、前記空気清浄通知装置によると、空気品質データを取得する方法は、取得モジュールにより、空気品質センサを用いて、前記空気清浄機が配置された空間の内部の空気品質データ、及び、前記空気清浄機が配置された空間の外部の空気品質データを取得する方法、及び、取得モジュールにより、インターネットを介して、前記空気清浄機が配置された空間の外部の空気品質データをリアルタイムに取得し、空気品質センサを用いて、前記空気清浄機が配置された空間の内部の空気品質データを取得する方法の中のいずれか一つを含む。
【００２０】
オプションとして、前記空気清浄通知装置は、通知の必要があると判断した場合、該当する通知情報を発するための通知モジュールをさらに備える。
【００２１】
オプションとして、前記空気清浄通知装置は、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される。
【００２２】
オプションとして、前記空気清浄通知装置によると、前記通知は、一日内に一回通知する方式、一日内に複数回通知する方式、終日通知しない方式、及び、特定時間帯に通知しない方式の中のいずれか一つ、又は、複数に設定される。
【００２３】
オプションとして、前記空気清浄通知装置は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスを含む。
【００２４】
本発明に係る実施例の第３の態様によると、ユーザデバイスを提供する。前記ユーザデバイスは、前記の空気清浄通知装置と、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールとを備える。
【００２５】
本発明に係る実施例の第４の態様によると、空気清浄システムを提供する。前記システムは、空気清浄機と、前記のユーザデバイスを備える。
【発明の効果】
【００２６】
本発明の実施例が提供する構成の有益な効果は以下のとおりである。本発明によると、空気清浄機が配置された空間の内部、及び／或いは、外部の空気品質データに基づいて、通知の必要があるか否かを判断し、また、通知の必要があると特定されると、通知の種類を特定することにより、ユーザに、互いに異なる種類の通知に基づいて関連する制御操作を行うようにすることができるため、操作がもっと便利になり、ユーザエクスペリエンスを改善した。
【００２７】
以上の統括な記述と以下の細部記述は、ただ例示的なものであり、本発明を制限するものではないと、理解するべきである。
【図面の簡単な説明】
【００２８】
ここでの図面は、明細書に合併されて本明細書の一部を構成して本発明に合致する実施例を示し、明細書とともに本発明の原理を説明するのに用いられる。
【００２９】
【図１】図１は、例示的な一実施例に係る空気清浄通知方法を示すフローチャートである。
【図２】図２は、例示的な一実施例に係る空気清浄通知装置を示すブロック図である。
【図３】図３は、例示的な一実施例に係る空気清浄システムを示すブロック図である。
【図４】図４は、例示的な一実施例に係る空気清浄通知方法を実行するための装置４００を示すブロック図である。
【図５】図５は、例示的な一実施例に係る空気清浄通知方法を実行するための装置５００を示すブロック図である。
【発明を実施するための形態】
【００３０】
ここで、例示的な実施例を詳細に説明する。また、説明中の例は、図面に示している。以下の記述において、図面を説明する際に特に説明しない場合、異なる図面中の同一の符号は、同一或いは同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３１】
図１は、例示的な一実施例に係る空気清浄通知方法を示すフローチャートである。
【００３２】
図１に示したように、空気清浄通知方法は、空気清浄機が配置された空間の内部の空気品質データ、及び、空気清浄機が配置された空間の外部の空気品質データの中の少なくとも一つを含む空気品質データを取得するステップと、前記空気品質データに基づいて、通知の必要があるか否かを判断するステップとを含む。
【００３３】
オプションとして、前記空気清浄通知方法において、前記空気品質データに基づいて、通知の必要があるか否かを判断するステップは、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断するステップを含む。
【００３４】
オプションとして、前記空気清浄通知方法において、前記空気品質データに基づいて、通知の必要があるか否かを判断するステップは、前記空気品質データに基づいて、前記空気清浄機が配置された空間の内部の空気品質が予め設定した値より悪いと判断され、且つ、前記空気清浄機がオフされている場合、第２種類の通知の必要があると判断するステップを含む。
【００３５】
オプションとして、前記空気清浄通知方法において、前記空気品質データに基づいて、通知の必要があるか否かを判断するステップは、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断するステップを含む。
【００３６】
オプションとして、前記空気清浄通知方法において、空気品質データを取得するステップは、空気品質センサを用いて、前記空気清浄機が配置された空間の内部の空気品質データ、及び、前記空気清浄機が配置された空間の外部の空気品質データを取得するステップ、及び、インターネットを介して、前記空気清浄機が配置された空間の外部の空気品質データをリアルタイムに取得し、空気品質センサを用いて、前記空気清浄機が配置された空間の内部の空気品質データを取得するステップの中のいずれか一つを含む。
【００３７】
オプションとして、前記空気清浄通知方法において、通知の必要があると判断した場合、該当する通知情報を発するステップをさらに含む。前記通知情報は、ユーザインターフェイスの色の変更、画像通知、文字通知、音声通知等であってもよい。
【００３８】
オプションとして、前記空気清浄通知方法は、ユーザにより、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うステップをさらに含む。
【００３９】
オプションとして、前記空気清浄通知方法において、前記通知は、一日内に一回通知する方式、一日内に複数回通知する方式、終日通知しない方式、及び、特定時間帯（例えば、２２時から８時までの期間）に通知しない方式の中のいずれか一つ、又は、複数に設定される。
【００４０】
オプションとして、前記空気清浄通知方法は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスによって実行される。オプションとして、前記ユーザデバイスは、空気清浄機が配置された空間の内部の空気品質データ、及び、空気清浄機が配置された空間の外部の空気品質データの中の少なくとも一つを含む空気品質データを取得し、また、前記空気品質データに基づいて、通知の必要があるか否かを判断する。オプションとして、前記ユーザデバイスは、空気品質センサを用いて、前記空気清浄機が配置された空間の内部の空気品質データ、及び、前記空気清浄機が配置された空間の外部の空気品質データを取得する。オプションとして、前記ユーザデバイスは、インターネットを介して、前記空気清浄機が配置された空間の外部の空気品質データをリアルタイムに取得し、空気品質センサを用いて、前記空気清浄機が配置された空間の内部の空気品質データを取得する。オプションとして、前記ユーザデバイスは、通知の必要があると判断した場合、該当する通知情報を発する。オプションとして、ユーザは、ユーザデバイスを用いて、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行ってもよい。オプションとして、前記空気清浄通知方法において、ユーザデバイスを用いて、前記通知を、一日内に一回通知する方式、一日内に複数回通知する方式、終日通知しない方式、及び、特定時間帯（例えば、２２時から８時までの期間）に通知しない方式の中のいずれか一つ、又は、複数に設定してもよい。
【００４１】
オプションとして、空気清浄機が配置された空間は、室内、部屋内、回廊内、車内、或いは、他の空気を清浄する必要がある場所であってもよい。
【００４２】
オプションとして、前記ユーザデバイスは、有線、或いは、無線の方式によって、空気清浄機、及び／或いは、空気清浄機が配置された空間の窓に接続されてもよい。
【００４３】
例えば、空気清浄機が室内に配置されており、ユーザデバイスを用いて室外、及び室内空気品質データを取得した場合、もし、前記空気品質データに基づいて、室外空気品質が室内空気品質よりよく、且つ、室外空気品質が予め設定した値（例えば、室外空気品質指標が３０より低いと、室外空気品質が所定の値よりよいとする）よりよいと判断し、且つ、前記空気清浄機がオンされていると、ユーザデバイスは、第１種類の通知の必要があると判断する（オプションとして、「青空の通知」とする）。この時、ユーザデバイスは、ユーザインターフェイスの色の変更、画像通知、音声通知等の方法によって、ユーザを通知して空気清浄機を閉じ、窓を開くようにする。
【００４４】
例えば、空気清浄機が室内に配置されており、ユーザデバイスを用いて室内空気品質データを取得した場合、もし、前記空気品質データに基づいて、室内空気品質が予め設定した値（例えば、室内空気品質指標が予め設定した値より高いと、室内空気品質が予め設定した値より悪いとする）より悪いと判断し、且つ、前記空気清浄機がオフされていると、ユーザデバイスは、第２種類の通知の必要があると判断する（オプションとして、「汚染の通知」とする）。この時、ユーザデバイスは、ユーザインターフェイスの色の変更、画像通知、音声通知等の方法によって、ユーザに、当該通知に基づいて空気清浄機をオンにし、また、窓を閉じるようにする。
【００４５】
例えば、空気清浄機が室内に配置されており、ユーザデバイスを用いて室内空気品質データを取得した場合、もし、前記空気清浄機がオンされて動作してから予め設定した時間が経過した後（例えば、空気清浄機がオンされて動作してから一時間後）に、前記空気品質データに基づいて、室内空気品質がまだ予め設定した値より悪い（例えば、室内空気の空気品質指標が予め設定した値より高い）と判断されると、空気清浄機の動作に異常が発生したか、又は、窓を閉じていないため空気清浄機が効果を果たしてないとして、ユーザデバイスは、第３種類の通知の必要があると判断する（オプションとして、「動作異常の通知」とする）。この時、ユーザデバイスは、ユーザインターフェイスの色の変更、画像通知、音声通知等の方法によって、ユーザに、当該通知に基づいて空気清浄機と窓の状態をチェックするようにする。
【００４６】
図２は、例示的な一実施例に係る空気清浄通知装置を示すブロック図である。
【００４７】
図２を参照すると、前記空気清浄の通知装置は、空気清浄機が配置された空間の内部の空気品質データ、及び、空気清浄機が配置された空間の外部の空気品質データの中の少なくとも一つを含む空気品質データを取得するための取得モジュールと、前記空気品質データに基づいて、通知の必要があるか否かを判断するための判断モジュールとを備える。
【００４８】
オプションとして、前記空気清浄通知装置において、前記空気品質データに基づいて、通知の必要があるか否かを判断する方法は、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断する方法を含む。
【００４９】
オプションとして、前記空気清浄通知装置において、前記空気品質データに基づいて、通知の必要があるか否かを判断する方法は、前記空気品質データに基づいて、前記空気清浄機が配置された空間の内部の空気品質が予め設定した値より悪いと判断され、且つ、前記空気清浄機がオフされている場合、第２種類の通知の必要があると判断する方法を含む。
【００５０】
オプションとして、前記空気清浄通知装置において、前記空気品質データに基づいて、通知の必要があるか否かを判断する方法は、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断する方法を含む。
【００５１】
オプションとして、前記空気清浄通知装置において、空気品質データを取得する方法は、取得モジュールにより、空気品質センサを用いて、前記空気清浄機が配置された空間の内部の空気品質データ、及び、前記空気清浄機が配置された空間の外部の空気品質データを取得する方法、及び、取得モジュールにより、インターネットを介して、前記空気清浄機が配置された空間の外部の空気品質データをリアルタイムに取得し、空気品質センサを用いて、前記空気清浄機が配置された空間の内部の空気品質データを取得する方法の中のいずれか一つを含む。
【００５２】
オプションとして、前記空気清浄通知装置は、通知の必要があると判断した場合、該当する通知情報を発するための通知モジュールをさらに備える。
【００５３】
オプションとして、前記空気清浄通知装置は、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される。
【００５４】
オプションとして、前記空気清浄通知装置において、前記通知は、一日内に一回通知する方式、一日内に複数回通知する方式、終日通知しない方式、及び、特定時間帯（例えば、２２時から８時までの期間）に通知しない方式の中のいずれか一つ、又は、複数に設定される。
【００５５】
オプションとして、前記空気清浄通知装置は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスを含む。オプションとして、前記ユーザデバイスは、制御モジュールをさらに備える。前記制御モジュールは、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される。オプションとして、ユーザがユーザデバイスにおいて制御操作を実行すると、ユーザデバイス中の制御モジュールは、ユーザの命令を受信し、ユーザ命令に従って、空気清浄機のスイッチを制御する制御操作、空気清浄機の動作状態を調整する制御操作、及び、ユーザの部屋の窓のスイッチを制御する制御操作、等を実現する。
【００５６】
オプションとして、空気清浄機が配置された空間は、室内、部屋内、回廊内、車内、或いは、他の空気を清浄する必要がある場所であってもよい。
【００５７】
オプションとして、前記ユーザデバイスは、有線、或いは、無線の方式によって、空気清浄機、及び／或いは、空気清浄機が配置された空間の窓に接続されてもよい。
【００５８】
例えば、空気清浄機が室内に配置されており、取得モジュールにより室外、及び室内空気品質データを取得した場合、もし、前記ユーザデバイス中の判断モジュールにより、前記空気品質データに基づいて、室外空気品質が室内空気品質よりよく、且つ、室外空気品質が予め設定した値（例えば、室外空気品質指標が３０より低いと、室外空気品質が所定の値よりよいとする）よりよいと判断し、且つ、前記空気清浄機がオンされていると、判断モジュールは、第１種類の通知の必要があると判断する（オプションとして、「青空の通知」とする）。この時、通知モジュールは、ユーザインターフェイスの色の変更、画像通知、音声通知等の方法によって、ユーザを通知して空気清浄機を閉じ、窓を開くようにする。
【００５９】
例えば、空気清浄機が室内に配置されており、取得モジュールにより室内空気品質データを取得した場合、もし、前記ユーザデバイス中の判断モジュールにより、前記空気品質データに基づいて、室内空気品質が予め設定した値（例えば、室内空気品質指標が予め設定した値より高いと、室内空気品質が予め設定した値より悪いとする）より悪いと判断し、且つ、前記空気清浄機がオフされていると、判断モジュールは、第２種類の通知の必要があると判断する（オプションとして、「汚染の通知」とする）。この時、通知モジュールは、ユーザインターフェイスの色の変更、画像通知、音声通知等の方法によって、ユーザに、当該通知に基づいて空気清浄機をオンにし、また、窓を閉じるようにする。
【００６０】
例えば、空気清浄機が室内に配置されており、取得モジュールにより室内空気品質データを取得した場合、もし、前記空気清浄機がオンされて動作してから予め設定した時間が経過した後（例えば、空気清浄機がオンされて動作してから一時間後）に、前記空気品質データに基づいて、室内空気品質がまだ予め設定した値より悪い（例えば、室内空気の空気品質指標が予め設定した値より高い）と判断されると、判断モジュールは、空気清浄機の動作に異常が発生したか、又は、窓を閉じていないため空気清浄機が効果を果たしてないとして、ユーザデバイスは、第３種類の通知の必要があると判断する（オプションとして、「動作異常の通知」とする）。この時、通知モジュールは、ユーザインターフェイスの色の変更、画像通知、音声通知等の方法によって、ユーザに、当該通知に基づいて空気清浄機と窓の状態をチェックするようにする。
【００６１】
図３は、例示的な一実施例に係る空気清浄システムを示すブロック図である。
【００６２】
図３を参照すると、前記空気清浄システムは、空気清浄機と、ユーザデバイスとを備える。前記ユーザデバイスは、前記の実施例中の前記の空気清浄通知装置と、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールとを備える。
【００６３】
図４は、例示的な一実施例に係る空気清浄通知方法を実行するための装置４００を示すブロック図である。例えば、装置４００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【００６４】
図４を参照して、装置４００は、プロセスアセンブリ４０２、メモリ４０４、電源アセンブリ４０６、マルチメディアアセンブリ４０８、オーディオアセンブリ４１０、入出力（Ｉ／Ｏ）インターフェイス４１２、センサアセンブリ４１４、及び通信アセンブリ４１６のような一つ以上のアセンブリを含んでよい。
【００６５】
プロセスアセンブリ４０２は、一般的には装置４００の全体の動作を制御するものであり、例えば、表示、電話呼び出し、データ通信、カメラ動作、及び記録動作と関連する動作を制御する。プロセスアセンブリ４０２は、一つ以上のプロセッサ４２０を含み、これらによって命令を実行することにより、上記の方法の全部、或いは一部のステップを実現するようにしてもよい。なお、プロセスアセンブリ４０２は、一つ以上のモジュールを含み、これらによってプロセスアセンブリ４０２と他のアセンブリの間のインタラクションを容易にするようにしてもよい。例えば、プロセスアセンブリ４０２は、マルチメディアモジュールを含み、これらによってマルチメディアアセンブリ４０８とプロセスアセンブリ４０２の間のインタラクションを容易にするようにしてもよい。
【００６６】
メモリ４０４は、各種類のデータを記憶することにより装置４００の動作を支援するように構成される。これらのデータの例は、装置４００において動作するいずれのアプリケーションプログラム又は方法の命令、連絡対象データ、電話帳データ、メッセージ、画像、ビデオ等を含む。メモリ４０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００６７】
電源アセンブリ４０６は、装置４００の多様なアセンブリに電力を供給する。電源アセンブリ４０６は、電源管理システム、一つ以上の電源、及び装置４００のための電力の生成、管理及び割り当てに関連付けられている他のアセンブリを含んでもよい。
【００６８】
マルチメディアアセンブリ４０８は、前記装置４００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或いはスワイプの動作の境界だけでなく、前記のタッチ、或いはスワイプ操作に係る継続時間及び圧力も検出できる。上記の実施例において、マルチメディアアセンブリ４０８は、一つのフロントカメラ、及び／又はリアカメラを含む。装置４００が、例えば撮影モード、或いはビデオモード等の動作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００６９】
オーディオアセンブリ４１０は、オーディオ信号を入出力するように構成されてもよい。例えば、オーディオアセンブリ４１０は、一つのマイク（ＭＩＣ）を含み、装置４００が、例えば呼出しモード、記録モード、及び音声認識モード等の動作モードにある場合、マイクは外部のオーディオ信号を受信することができる。受信されたオーディオ信号は、さらにメモリ４０４に記憶されたり、通信アセンブリ４１６を介して送信されたりされる。上記の実施例において、オーディオアセンブリ４１０は、オーディオ信号を出力するための一つのスピーカーをさらに含む。
【００７０】
Ｉ／Ｏインターフェイス４１２は、プロセスアセンブリ４０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【００７１】
センサアセンブリ４１４は、装置４００に各種の状態に対する評価を提供するための一つ以上のセンサを含む。例えば、センサアセンブリ４１４は、装置４００のＯＮ／ＯＦＦ状態、装置４００のディスプレイとキーパッドのようなアセンブリの相対的な位置決めを検出できる。また、例えば、センサアセンブリ４１４は、装置４００、或いは装置４００の一つのアセンブリの位置変更、ユーザと装置４００とが接触しているか否か、装置４００の方位、又は加速／減速、装置４００の温度の変化を検出できる。センサアセンブリ４１４は、何れの物理的接触がない状態にて付近の物体の存在を検出するための近接センサを含んでもよい。センサアセンブリ４１４は、撮影アプリケーションに適用するため、ＣＭＯＳ、又はＣＣＤ画像センサのような光センサを含んでもよい。上記の実施例において、当該センサアセンブリ４１４は、加速度センサ、ジャイロスコープセンサ、磁気センサ、圧力センサ、及び温度センサをさらに含んでもよい。
【００７２】
通信アセンブリ４１６は、装置４００と他の機器の間に有線、又は利便性のよい形態の通信を提供する。装置４００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信アセンブリ４１６は、放送チャンネルを介して外部の放送管理システムからの放送信号、又は放送に関連する情報を受信する。一つの例示的な実施例において、前記通信アセンブリ４１６は、近距離無線通信（ＮＦＣ）モジュールをさらに含むことにより、近距離通信を可能にする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【００７３】
例示的な実施例において、装置４００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ Ａｒｒａｙ）、コントローラ、マイクロコントローラ、マイクロプロセッサ、または他の電子部品によって実現されるものであり、上記方法を実行する。
【００７４】
例示的な実施例において、さらに、命令を含むコンピュータ読取り可能な非一時的な記録媒体、例えば命令を含むメモリ４０４を提供しており、装置４００のプロセッサ４２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク（登録商標）、光データ記憶デバイス等である。
【００７５】
図５は、例示的な一実施例に係る空気清浄通知方法を実行するための装置５００を示すブロック図である。例えば、装置５００をサーバとして提供してもよい。図５を参照すると、装置５００は、プロセスアセンブリ５２２を備える。当該プロセスアセンブリ５２２は、一つ以上のプロセッサ、及びメモリ５３２を代表とするメモリリソースを、さらに備える。当該メモリリソースは、プロセスアセンブリ５２２によって実行される、例えばアプリケーションプログラムのような命令を保存する。メモリ５３２中に保存されたアプリケーションプログラムには、それぞれ一つの命令のセットに対応する一つ以上のモジュールを含まれてもよい。なお、プロセスアセンブリ５２２は、命令を実行することにより、上記の空気清浄通知方法を実行する。
【００７６】
装置５００は、装置５００の電源を管理するための一つの電源アセンブリ５２６、装置５００をネットワークに接続させるための一つの有線又は無線のネットワークインターフェイス５５０、及び、一つの入出力インターフェイス５５８を備えてもよい。装置５００は、メモリ５３２に保存された、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭのようなオペレーティング・システムによって、操作を行うことができる。
【００７７】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００７８】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
2017500534.tif 000003
【図２】
2017500534.tif 000004
【図３】
2017500534.tif 000005
【図４】
2017500534.tif 000006
【図５】
2017500534.tif 000007
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
空気清浄機が配置された空間の内部の空気品質データ、及び、空気清浄機が配置された空間の外部の空気品質データの中の少なくとも一つを含む空気品質データを取得するステップと、
前記空気品質データに基づいて、通知の必要があるか否かを判断するステップと
を含むことを特徴とする空気清浄通知方法。
【請求項２】
前記空気品質データに基づいて、通知の必要があるか否かを判断するステップは、
前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断するステップを含む
ことを特徴とする請求項１に記載の空気清浄通知方法。
【請求項３】
前記空気品質データに基づいて、通知の必要があるか否かを判断するステップは、
前記空気品質データに基づいて、前記空気清浄機が配置された空間の内部の空気品質が予め設定した値より悪いと判断され、且つ、前記空気清浄機がオフされている場合、第２種類の通知の必要があると判断するステップを含む
ことを特徴とする請求項１に記載の空気清浄通知方法。
【請求項４】
前記空気品質データに基づいて、通知の必要があるか否かを判断するステップは、
前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断するステップを含む
ことを特徴とする請求項１に記載の空気清浄通知方法。
【請求項５】
空気品質データを取得するステップは、空気品質センサを用いて、前記空気清浄機が配置された空間の内部の空気品質データ、及び、前記空気清浄機が配置された空間の外部の空気品質データを取得するステップ、及び、インターネットを介して、前記空気清浄機が配置された空間の外部の空気品質データをリアルタイムに取得し、空気品質センサを用いて、前記空気清浄機が配置された空間の内部の空気品質データを取得するステップの中のいずれか一つを含む
ことを特徴とする請求項１に記載の空気清浄通知方法。
【請求項６】
通知の必要があると判断した場合、該当する通知情報を発するステップ
をさらに含むことを特徴とする請求項１乃至４のいずれか１項に記載の空気清浄通知方法。
【請求項７】
ユーザにより、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うステップ
をさらに含むことを特徴とする請求項６に記載の空気清浄通知方法。
【請求項８】
前記通知は、一日内に一回通知する方式、一日内に複数回通知する方式、終日通知しない方式、及び、特定時間帯に通知しない方式の中のいずれか一つ、又は、複数に設定される
ことを特徴とする請求項１乃至４のいずれか１項に記載の空気清浄通知方法。
【請求項９】
前記空気清浄通知方法は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスによって実行される
ことを特徴とする請求項１に記載の空気清浄通知方法。
【請求項１０】
空気清浄機が配置された空間の内部の空気品質データ、及び、空気清浄機が配置された空間の外部の空気品質データの中の少なくとも一つを含む空気品質データを取得するための取得モジュールと、
前記空気品質データに基づいて、通知の必要があるか否かを判断するための判断モジュールと
を備えることを特徴とする空気清浄通知装置。
【請求項１１】
前記判断モジュールは、
前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断する
ことを特徴とする請求項１０に記載の空気清浄通知装置。
【請求項１２】
前記判断モジュールは、
前記空気品質データに基づいて、前記空気清浄機が配置された空間の内部の空気品質が予め設定した値より悪いと判断され、且つ、前記空気清浄機がオフされている場合、第２種類の通知の必要があると判断する
ことを特徴とする請求項１０に記載の空気清浄通知装置。
【請求項１３】
前記判断モジュールは、
前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断する
ことを特徴とする請求項１０に記載の空気清浄通知装置。
【請求項１４】
前記取得モジュールは、空気品質センサを用いて、前記空気清浄機が配置された空間の内部の空気品質データ、及び、前記空気清浄機が配置された空間の外部の空気品質データを取得すること、及び、インターネットを介して、前記空気清浄機が配置された空間の外部の空気品質データをリアルタイムに取得し、空気品質センサを用いて、前記空気清浄機が配置された空間の内部の空気品質データを取得することの中のいずれか一つを実行する
ことを特徴とする請求項１０に記載の空気清浄通知装置。
【請求項１５】
通知の必要があると判断した場合、該当する通知情報を発するための通知モジュールをさらに備える
ことを特徴とする請求項１０乃至１３のいずれか１項に記載の空気清浄通知装置。
【請求項１６】
ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される
ことを特徴とする請求項１０に記載の空気清浄通知装置。
【請求項１７】
前記通知は、一日内に一回通知する方式、一日内に複数回通知する方式、終日通知しない方式、及び、特定時間帯に通知しない方式の中のいずれか一つ、又は、複数に設定される
ことを特徴とする請求項１０乃至１３のいずれか１項に記載の空気清浄通知装置。
【請求項１８】
前記空気清浄通知装置は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスを含む
ことを特徴とする請求項１０に記載の空気清浄通知装置。
【請求項１９】
請求項１０乃至１８のいずれか１項に記載の空気清浄通知装置と、
ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールと
を備えることを特徴とするユーザデバイス。
【請求項２０】
空気清浄機と、
請求項１９に記載のユーザデバイスと
を備えることを特徴とする空気清浄システム。
【請求項２１】
プロセッサに実行されることにより、請求項１から請求項９のいずれかに記載の空気清浄通知方法を実現することを特徴とするプログラム。
【請求項２２】
請求項２１に記載のプログラムが記録された記録媒体。
【手続補正２】
【補正対象書類名】明細書
【補正対象項目名】全文
【補正方法】変更
【補正の内容】
【発明の詳細な説明】
【関連出願の相互参照】
【０００１】
本願は、出願番号がＣＮ２０１４１０５９４６０８．１であって、出願日が２０１４年１０月２９日である中国特許出願に基づいて優先権を主張し、当該中国特許出願のすべての内容を援用する。
【技術分野】
【０００２】
本発明は、空気清浄通知方法、装置、プログラム、記録媒体、ユーザデバイス及びシステムに関し、特に、空気清浄機が配置された空間の内部、及び外部の空気品質データに基づいて、該当する種類の通知を特定する空気清浄通知方法、装置、ユーザデバイス及びシステムに関する。
【背景技術】
【０００３】
空気清浄機は、空気を清浄するための家電製品である。スモッグ（ｆｏｇ  ａｎｄ  ｈａｚｅ）の頻繁の出現に伴い、空気品質も人々にもっと重視させられて、空気清浄機もますます広く使用されている。
【０００４】
しかし、従来の空気清浄機は、インテリジェント・通知の点で不備が存在するため、その使用範囲が制限され、ユーザエクスペリエンスに影響を与える。関連技術において、一般的には、空気清浄機にディスプレイモジュール或いはスピーカーモジュールを配置して、ディスプレイに情報を表示させるか、或いは、音声を出力する方法によって、ユーザに関連する情報を通知する。このため、ユーザは、空気清浄機に近づいて関連情報を照会したり聞く必要があり、通知情報を了解した後に、さらに、空気清浄機に近づいて関連する制御操作を行う必要がある。なお、関連技術において、空気清浄機は、オンされた後に空気清浄機の周囲の空気品質を検出し、さらに、空気品質データをユーザに通知する必要がある。また、ユーザは、自分で空気品質データを判断した後に、該当する操作を特定してから、手動で関連する制御操作を行う必要があるため、操作が不便である。
【発明の概要】
【発明が解決しようとする課題】
【０００５】
本発明は、関連技術に存在する問題を解決するために、空気清浄通知方法、装置、プログラム、記録媒体、ユーザデバイス及びシステムを提供する。
【課題を解決するための手段】
【０００６】
本発明に係る実施例の第１の態様によると、空気清浄通知方法を提供する。前記空気清浄通知方法は、空気清浄機が配置された空間の内部の空気品質データ、及び、空気清浄機が配置された空間の外部の空気品質データの中の少なくとも一つを含む空気品質データを取得するステップと、前記空気品質データに基づいて、通知の必要があるか否かを判断するステップとを含む。
【０００７】
オプションとして、前記空気清浄通知方法において、前記空気品質データに基づいて、通知の必要があるか否かを判断するステップは、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断するステップを含む。
【０００８】
オプションとして、前記空気清浄通知方法において、前記空気品質データに基づいて、通知の必要があるか否かを判断するステップは、前記空気品質データに基づいて、前記空気清浄機が配置された空間の内部の空気品質が予め設定した値より悪いと判断され、且つ、前記空気清浄機がオフされている場合、第２種類の通知の必要があると判断するステップを含む。
【０００９】
オプションとして、前記空気清浄通知方法において、前記空気品質データに基づいて、通知の必要があるか否かを判断するステップは、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断するステップを含む。
【００１０】
オプションとして、前記空気清浄通知方法において、空気品質データを取得するステップは、空気品質センサを用いて、前記空気清浄機が配置された空間の内部の空気品質データ、及び、前記空気清浄機が配置された空間の外部の空気品質データを取得するステップ、及び、インターネットを介して、前記空気清浄機が配置された空間の外部の空気品質データをリアルタイムに取得し、空気品質センサを用いて、前記空気清浄機が配置された空間の内部の空気品質データを取得するステップの中のいずれか一つを含む。
【００１１】
オプションとして、前記空気清浄通知方法において、通知の必要があると判断した場合、該当する通知情報を発するステップをさらに含む。
【００１２】
オプションとして、前記空気清浄通知方法において、ユーザにより、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うステップをさらに含む。
【００１３】
オプションとして、前記空気清浄通知方法において、前記通知は、一日内に一回通知する方式、一日内に複数回通知する方式、終日通知しない方式、及び、特定時間帯に通知しない方式の中のいずれか一つ、又は、複数に設定される。
【００１４】
オプションとして、上述の空気清浄通知方法は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスによって実行される。
【００１５】
本発明に係る実施例の第２の態様によると、空気清浄通知装置を提供する。前記空気清浄通知装置は、空気清浄機が配置された空間の内部の空気品質データ、及び、空気清浄機が配置された空間の外部の空気品質データの中の少なくとも一つを含む空気品質データを取得するための取得モジュールと、前記空気品質データに基づいて、通知の必要があるか否かを判断するための判断モジュールとを備える。
【００１６】
オプションとして、前記空気清浄通知装置によると、前記空気品質データに基づいて、通知の必要があるか否かを判断する方法は、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断する方法を含む。
【００１７】
オプションとして、前記空気清浄通知装置によると、前記空気品質データに基づいて、通知の必要があるか否かを判断する方法は、前記空気品質データに基づいて、前記空気清浄機が配置された空間の内部の空気品質が予め設定した値より悪いと判断され、且つ、前記空気清浄機がオフされている場合、第２種類の通知の必要があると判断する方法を含む。
【００１８】
オプションとして、前記空気清浄通知装置によると、前記空気品質データに基づいて、通知の必要があるか否かを判断する方法は、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断する方法を含む。
【００１９】
オプションとして、前記空気清浄通知装置によると、空気品質データを取得する方法は、取得モジュールにより、空気品質センサを用いて、前記空気清浄機が配置された空間の内部の空気品質データ、及び、前記空気清浄機が配置された空間の外部の空気品質データを取得する方法、及び、取得モジュールにより、インターネットを介して、前記空気清浄機が配置された空間の外部の空気品質データをリアルタイムに取得し、空気品質センサを用いて、前記空気清浄機が配置された空間の内部の空気品質データを取得する方法の中のいずれか一つを含む。
【００２０】
オプションとして、前記空気清浄通知装置は、通知の必要があると判断した場合、該当する通知情報を発するための通知モジュールをさらに備える。
【００２１】
オプションとして、前記空気清浄通知装置は、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される。
【００２２】
オプションとして、前記空気清浄通知装置によると、前記通知は、一日内に一回通知する方式、一日内に複数回通知する方式、終日通知しない方式、及び、特定時間帯に通知しない方式の中のいずれか一つ、又は、複数に設定される。
【００２３】
オプションとして、前記空気清浄通知装置は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスを含む。
【００２４】
本発明に係る実施例の第３の態様によると、ユーザデバイスを提供する。前記ユーザデバイスは、前記の空気清浄通知装置と、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールとを備える。
【００２５】
本発明に係る実施例の第４の態様によると、空気清浄システムを提供する。前記システムは、空気清浄機と、前記のユーザデバイスを備える。
本発明の実施例に係る第５態様によると、プロセッサに実行されることにより、上記の空気清浄通知方法を実現するプログラムを提供する。
本発明の実施例に係る第６態様によると、上記プログラムが記録された記録媒体を提供する。
【発明の効果】
【００２６】
本発明の実施例が提供する構成の有益な効果は以下のとおりである。本発明によると、空気清浄機が配置された空間の内部、及び／或いは、外部の空気品質データに基づいて、通知の必要があるか否かを判断し、また、通知の必要があると特定されると、通知の種類を特定することにより、ユーザに、互いに異なる種類の通知に基づいて関連する制御操作を行うようにすることができるため、操作がもっと便利になり、ユーザエクスペリエンスを改善した。
【００２７】
以上の統括な記述と以下の細部記述は、ただ例示的なものであり、本発明を制限するものではないと、理解するべきである。
【図面の簡単な説明】
【００２８】
ここでの図面は、明細書に合併されて本明細書の一部を構成して本発明に合致する実施例を示し、明細書とともに本発明の原理を説明するのに用いられる。
【００２９】
【図１】図１は、例示的な一実施例に係る空気清浄通知方法を示すフローチャートである。
【図２】図２は、例示的な一実施例に係る空気清浄通知装置を示すブロック図である。
【図３】図３は、例示的な一実施例に係る空気清浄システムを示すブロック図である。
【図４】図４は、例示的な一実施例に係る空気清浄通知方法を実行するための装置４００を示すブロック図である。
【図５】図５は、例示的な一実施例に係る空気清浄通知方法を実行するための装置５００を示すブロック図である。
【発明を実施するための形態】
【００３０】
ここで、例示的な実施例を詳細に説明する。また、説明中の例は、図面に示している。以下の記述において、図面を説明する際に特に説明しない場合、異なる図面中の同一の符号は、同一或いは同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３１】
図１は、例示的な一実施例に係る空気清浄通知方法を示すフローチャートである。
【００３２】
図１に示したように、空気清浄通知方法は、空気清浄機が配置された空間の内部の空気品質データ、及び、空気清浄機が配置された空間の外部の空気品質データの中の少なくとも一つを含む空気品質データを取得するステップと、前記空気品質データに基づいて、通知の必要があるか否かを判断するステップとを含む。
【００３３】
オプションとして、前記空気清浄通知方法において、前記空気品質データに基づいて、通知の必要があるか否かを判断するステップは、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断するステップを含む。
【００３４】
オプションとして、前記空気清浄通知方法において、前記空気品質データに基づいて、通知の必要があるか否かを判断するステップは、前記空気品質データに基づいて、前記空気清浄機が配置された空間の内部の空気品質が予め設定した値より悪いと判断され、且つ、前記空気清浄機がオフされている場合、第２種類の通知の必要があると判断するステップを含む。
【００３５】
オプションとして、前記空気清浄通知方法において、前記空気品質データに基づいて、通知の必要があるか否かを判断するステップは、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断するステップを含む。
【００３６】
オプションとして、前記空気清浄通知方法において、空気品質データを取得するステップは、空気品質センサを用いて、前記空気清浄機が配置された空間の内部の空気品質データ、及び、前記空気清浄機が配置された空間の外部の空気品質データを取得するステップ、及び、インターネットを介して、前記空気清浄機が配置された空間の外部の空気品質データをリアルタイムに取得し、空気品質センサを用いて、前記空気清浄機が配置された空間の内部の空気品質データを取得するステップの中のいずれか一つを含む。
【００３７】
オプションとして、前記空気清浄通知方法において、通知の必要があると判断した場合、該当する通知情報を発するステップをさらに含む。前記通知情報は、ユーザインターフェイスの色の変更、画像通知、文字通知、音声通知等であってもよい。
【００３８】
オプションとして、前記空気清浄通知方法は、ユーザにより、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うステップをさらに含む。
【００３９】
オプションとして、前記空気清浄通知方法において、前記通知は、一日内に一回通知する方式、一日内に複数回通知する方式、終日通知しない方式、及び、特定時間帯（例えば、２２時から８時までの期間）に通知しない方式の中のいずれか一つ、又は、複数に設定される。
【００４０】
オプションとして、前記空気清浄通知方法は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスによって実行される。オプションとして、前記ユーザデバイスは、空気清浄機が配置された空間の内部の空気品質データ、及び、空気清浄機が配置された空間の外部の空気品質データの中の少なくとも一つを含む空気品質データを取得し、また、前記空気品質データに基づいて、通知の必要があるか否かを判断する。オプションとして、前記ユーザデバイスは、空気品質センサを用いて、前記空気清浄機が配置された空間の内部の空気品質データ、及び、前記空気清浄機が配置された空間の外部の空気品質データを取得する。オプションとして、前記ユーザデバイスは、インターネットを介して、前記空気清浄機が配置された空間の外部の空気品質データをリアルタイムに取得し、空気品質センサを用いて、前記空気清浄機が配置された空間の内部の空気品質データを取得する。オプションとして、前記ユーザデバイスは、通知の必要があると判断した場合、該当する通知情報を発する。オプションとして、ユーザは、ユーザデバイスを用いて、前記通知情報に基づいて、空気清浄機のスイッチを制御する制御操作、空気清浄機の動作状態を調整する制御操作、及び、ユーザの部屋の窓のスイッチを制御する制御操作の中のいずれか一つ、又は、複数を選択して行ってもよい。オプションとして、前記空気清浄通知方法において、ユーザデバイスを用いて、前記通知を、一日内に一回通知する方式、一日内に複数回通知する方式、終日通知しない方式、及び、特定時間帯（例えば、２２時から８時までの期間）に通知しない方式の中のいずれか一つ、又は、複数に設定してもよい。
【００４１】
オプションとして、空気清浄機が配置された空間は、室内、部屋内、回廊内、車内、或いは、他の空気を清浄する必要がある場所であってもよい。
【００４２】
オプションとして、前記ユーザデバイスは、有線、或いは、無線の方式によって、空気清浄機、及び／或いは、空気清浄機が配置された空間の窓に接続されてもよい。
【００４３】
例えば、空気清浄機が室内に配置されており、ユーザデバイスを用いて室外、及び室内空気品質データを取得した場合、もし、前記空気品質データに基づいて、室外空気品質が室内空気品質よりよく、且つ、室外空気品質が予め設定した値（例えば、室外空気品質指標が３０より低いと、室外空気品質が所定の値よりよいとする）よりよいと判断し、且つ、前記空気清浄機がオンされていると、ユーザデバイスは、第１種類の通知の必要があると判断する（オプションとして、「青空の通知」とする）。この時、ユーザデバイスは、ユーザインターフェイスの色の変更、画像通知、音声通知等の方法によって、ユーザを通知して空気清浄機を閉じ、窓を開くようにする。
【００４４】
例えば、空気清浄機が室内に配置されており、ユーザデバイスを用いて室内空気品質データを取得した場合、もし、前記空気品質データに基づいて、室内空気品質が予め設定した値（例えば、室内空気品質指標が予め設定した値より高いと、室内空気品質が予め設定した値より悪いとする）より悪いと判断し、且つ、前記空気清浄機がオフされていると、ユーザデバイスは、第２種類の通知の必要があると判断する（オプションとして、「汚染の通知」とする）。この時、ユーザデバイスは、ユーザインターフェイスの色の変更、画像通知、音声通知等の方法によって、ユーザに、当該通知に基づいて空気清浄機をオンにし、また、窓を閉じるようにする。
【００４５】
例えば、空気清浄機が室内に配置されており、ユーザデバイスを用いて室内空気品質データを取得した場合、もし、前記空気清浄機がオンされて動作してから予め設定した時間が経過した後（例えば、空気清浄機がオンされて動作してから一時間後）に、前記空気品質データに基づいて、室内空気品質がまだ予め設定した値より悪い（例えば、室内空気の空気品質指標が予め設定した値より高い）と判断されると、空気清浄機の動作に異常が発生したか、又は、窓を閉じていないため空気清浄機が効果を果たしてないとして、ユーザデバイスは、第３種類の通知の必要があると判断する（オプションとして、「動作異常の通知」とする）。この時、ユーザデバイスは、ユーザインターフェイスの色の変更、画像通知、音声通知等の方法によって、ユーザに、当該通知に基づいて空気清浄機と窓の状態をチェックするようにする。
【００４６】
図２は、例示的な一実施例に係る空気清浄通知装置を示すブロック図である。
【００４７】
図２を参照すると、前記空気清浄の通知装置は、空気清浄機が配置された空間の内部の空気品質データ、及び、空気清浄機が配置された空間の外部の空気品質データの中の少なくとも一つを含む空気品質データを取得するための取得モジュールと、前記空気品質データに基づいて、通知の必要があるか否かを判断するための判断モジュールとを備える。
【００４８】
オプションとして、前記空気清浄通知装置において、前記空気品質データに基づいて、通知の必要があるか否かを判断する方法は、前記空気品質データに基づいて、前記空気清浄機が配置された空間の外部の空気品質が前記空気清浄機が配置された空間の内部の空気品質よりよく、且つ、前記空気清浄機が配置された空間の外部の空気品質が予め設定した値よりよいと判断され、且つ、前記空気清浄機がオンされている場合、第１種類の通知の必要があると判断する方法を含む。
【００４９】
オプションとして、前記空気清浄通知装置において、前記空気品質データに基づいて、通知の必要があるか否かを判断する方法は、前記空気品質データに基づいて、前記空気清浄機が配置された空間の内部の空気品質が予め設定した値より悪いと判断され、且つ、前記空気清浄機がオフされている場合、第２種類の通知の必要があると判断する方法を含む。
【００５０】
オプションとして、前記空気清浄通知装置において、前記空気品質データに基づいて、通知の必要があるか否かを判断する方法は、前記空気清浄機をオンにしてから予め設定した時間が経過した後に、前記空気品質データに基づいて前記空気清浄機が配置された空間の内部の空気品質がまだ予め設定した値より悪いと判断された場合、第３種類の通知の必要があると判断する方法を含む。
【００５１】
オプションとして、前記空気清浄通知装置において、空気品質データを取得する方法は、取得モジュールにより、空気品質センサを用いて、前記空気清浄機が配置された空間の内部の空気品質データ、及び、前記空気清浄機が配置された空間の外部の空気品質データを取得する方法、及び、取得モジュールにより、インターネットを介して、前記空気清浄機が配置された空間の外部の空気品質データをリアルタイムに取得し、空気品質センサを用いて、前記空気清浄機が配置された空間の内部の空気品質データを取得する方法の中のいずれか一つを含む。
【００５２】
オプションとして、前記空気清浄通知装置は、通知の必要があると判断した場合、該当する通知情報を発するための通知モジュールをさらに備える。
【００５３】
オプションとして、前記空気清浄通知装置は、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される。
【００５４】
オプションとして、前記空気清浄通知装置において、前記通知は、一日内に一回通知する方式、一日内に複数回通知する方式、終日通知しない方式、及び、特定時間帯（例えば、２２時から８時までの期間）に通知しない方式の中のいずれか一つ、又は、複数に設定される。
【００５５】
オプションとして、前記空気清浄通知装置は、携帯電話、コンピュータ、デジタル放送端末、メッセージング送受信デバイス、ゲームコンソール、タブレットデバイス、医療機器、フィットネス機器、パーソナルデジタルアシスタントの中のいずれか一つ、又は、複数のデバイスであるユーザデバイスを含む。オプションとして、前記ユーザデバイスは、制御モジュールをさらに備える。前記制御モジュールは、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールに接続される。オプションとして、ユーザがユーザデバイスにおいて制御操作を実行すると、ユーザデバイス中の制御モジュールは、ユーザの命令を受信し、ユーザ命令に従って、空気清浄機のスイッチを制御する制御操作、空気清浄機の動作状態を調整する制御操作、及び、ユーザの部屋の窓のスイッチを制御する制御操作、等を実現する。
【００５６】
オプションとして、空気清浄機が配置された空間は、室内、部屋内、回廊内、車内、或いは、他の空気を清浄する必要がある場所であってもよい。
【００５７】
オプションとして、前記ユーザデバイスは、有線、或いは、無線の方式によって、空気清浄機、及び／或いは、空気清浄機が配置された空間の窓に接続されてもよい。
【００５８】
例えば、空気清浄機が室内に配置されており、取得モジュールにより室外、及び室内空気品質データを取得した場合、もし、前記ユーザデバイス中の判断モジュールにより、前記空気品質データに基づいて、室外空気品質が室内空気品質よりよく、且つ、室外空気品質が予め設定した値（例えば、室外空気品質指標が３０より低いと、室外空気品質が所定の値よりよいとする）よりよいと判断し、且つ、前記空気清浄機がオンされていると、判断モジュールは、第１種類の通知の必要があると判断する（オプションとして、「青空の通知」とする）。この時、通知モジュールは、ユーザインターフェイスの色の変更、画像通知、音声通知等の方法によって、ユーザを通知して空気清浄機を閉じ、窓を開くようにする。
【００５９】
例えば、空気清浄機が室内に配置されており、取得モジュールにより室内空気品質データを取得した場合、もし、前記ユーザデバイス中の判断モジュールにより、前記空気品質データに基づいて、室内空気品質が予め設定した値（例えば、室内空気品質指標が予め設定した値より高いと、室内空気品質が予め設定した値より悪いとする）より悪いと判断し、且つ、前記空気清浄機がオフされていると、判断モジュールは、第２種類の通知の必要があると判断する（オプションとして、「汚染の通知」とする）。この時、通知モジュールは、ユーザインターフェイスの色の変更、画像通知、音声通知等の方法によって、ユーザに、当該通知に基づいて空気清浄機をオンにし、また、窓を閉じるようにする。
【００６０】
例えば、空気清浄機が室内に配置されており、取得モジュールにより室内空気品質データを取得した場合、もし、前記空気清浄機がオンされて動作してから予め設定した時間が経過した後（例えば、空気清浄機がオンされて動作してから一時間後）に、前記空気品質データに基づいて、室内空気品質がまだ予め設定した値より悪い（例えば、室内空気の空気品質指標が予め設定した値より高い）と判断されると、判断モジュールは、空気清浄機の動作に異常が発生したか、又は、窓を閉じていないため空気清浄機が効果を果たしてないとして、ユーザデバイスは、第３種類の通知の必要があると判断する（オプションとして、「動作異常の通知」とする）。この時、通知モジュールは、ユーザインターフェイスの色の変更、画像通知、音声通知等の方法によって、ユーザに、当該通知に基づいて空気清浄機と窓の状態をチェックするようにする。
【００６１】
図３は、例示的な一実施例に係る空気清浄システムを示すブロック図である。
【００６２】
図３を参照すると、前記空気清浄システムは、空気清浄機と、ユーザデバイスとを備える。前記ユーザデバイスは、前記の実施例中の前記の空気清浄通知装置と、ユーザ命令に従って、空気清浄機のスイッチを制御する制御操作、空気清浄機の動作状態を調整する制御操作、及び、ユーザの部屋の窓のスイッチを制御する制御操作の中のいずれか一つ、又は、複数を選択して行うための制御モジュールとを備える。
【００６３】
図４は、例示的な一実施例に係る空気清浄通知方法を実行するための装置４００を示すブロック図である。例えば、装置４００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【００６４】
図４を参照して、装置４００は、プロセスアセンブリ４０２、メモリ４０４、電源アセンブリ４０６、マルチメディアアセンブリ４０８、オーディオアセンブリ４１０、入出力（Ｉ／Ｏ）インターフェイス４１２、センサアセンブリ４１４、及び通信アセンブリ４１６のような一つ以上のアセンブリを含んでよい。
【００６５】
プロセスアセンブリ４０２は、一般的には装置４００の全体の動作を制御するものであり、例えば、表示、電話呼び出し、データ通信、カメラ動作、及び記録動作と関連する動作を制御する。プロセスアセンブリ４０２は、一つ以上のプロセッサ４２０を含み、これらによって命令を実行することにより、上記の方法の全部、或いは一部のステップを実現するようにしてもよい。なお、プロセスアセンブリ４０２は、一つ以上のモジュールを含み、これらによってプロセスアセンブリ４０２と他のアセンブリの間のインタラクションを容易にするようにしてもよい。例えば、プロセスアセンブリ４０２は、マルチメディアモジュールを含み、これらによってマルチメディアアセンブリ４０８とプロセスアセンブリ４０２の間のインタラクションを容易にするようにしてもよい。
【００６６】
メモリ４０４は、各種類のデータを記憶することにより装置４００の動作を支援するように構成される。これらのデータの例は、装置４００において動作するいずれのアプリケーションプログラム又は方法の命令、連絡対象データ、電話帳データ、メッセージ、画像、ビデオ等を含む。メモリ４０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００６７】
電源アセンブリ４０６は、装置４００の多様なアセンブリに電力を供給する。電源アセンブリ４０６は、電源管理システム、一つ以上の電源、及び装置４００のための電力の生成、管理及び割り当てに関連付けられている他のアセンブリを含んでもよい。
【００６８】
マルチメディアアセンブリ４０８は、前記装置４００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或いはスワイプの動作の境界だけでなく、前記のタッチ、或いはスワイプ操作に係る継続時間及び圧力も検出できる。上記の実施例において、マルチメディアアセンブリ４０８は、一つのフロントカメラ、及び／又はリアカメラを含む。装置４００が、例えば撮影モード、或いはビデオモード等の動作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００６９】
オーディオアセンブリ４１０は、オーディオ信号を入出力するように構成されてもよい。例えば、オーディオアセンブリ４１０は、一つのマイク（ＭＩＣ）を含み、装置４００が、例えば呼出しモード、記録モード、及び音声認識モード等の動作モードにある場合、マイクは外部のオーディオ信号を受信することができる。受信されたオーディオ信号は、さらにメモリ４０４に記憶されたり、通信アセンブリ４１６を介して送信されたりされる。上記の実施例において、オーディオアセンブリ４１０は、オーディオ信号を出力するための一つのスピーカーをさらに含む。
【００７０】
Ｉ／Ｏインターフェイス４１２は、プロセスアセンブリ４０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【００７１】
センサアセンブリ４１４は、装置４００に各種の状態に対する評価を提供するための一つ以上のセンサを含む。例えば、センサアセンブリ４１４は、装置４００のＯＮ／ＯＦＦ状態、装置４００のディスプレイとキーパッドのようなアセンブリの相対的な位置決めを検出できる。また、例えば、センサアセンブリ４１４は、装置４００、或いは装置４００の一つのアセンブリの位置変更、ユーザと装置４００とが接触しているか否か、装置４００の方位、又は加速／減速、装置４００の温度の変化を検出できる。センサアセンブリ４１４は、何れの物理的接触がない状態にて付近の物体の存在を検出するための近接センサを含んでもよい。センサアセンブリ４１４は、撮影アプリケーションに適用するため、ＣＭＯＳ、又はＣＣＤ画像センサのような光センサを含んでもよい。上記の実施例において、当該センサアセンブリ４１４は、加速度センサ、ジャイロスコープセンサ、磁気センサ、圧力センサ、及び温度センサをさらに含んでもよい。
【００７２】
通信アセンブリ４１６は、装置４００と他の機器の間に有線、又は利便性のよい形態の通信を提供する。装置４００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信アセンブリ４１６は、放送チャンネルを介して外部の放送管理システムからの放送信号、又は放送に関連する情報を受信する。一つの例示的な実施例において、前記通信アセンブリ４１６は、近距離無線通信（ＮＦＣ）モジュールをさらに含むことにより、近距離通信を可能にする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【００７３】
例示的な実施例において、装置４００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ Ａｒｒａｙ）、コントローラ、マイクロコントローラ、マイクロプロセッサ、または他の電子部品によって実現されるものであり、上記方法を実行する。
【００７４】
例示的な実施例において、さらに、命令を含むコンピュータ読取り可能な非一時的な記録媒体、例えば命令を含むメモリ４０４を提供しており、装置４００のプロセッサ４２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク（登録商標）、光データ記憶デバイス等である。
【００７５】
図５は、例示的な一実施例に係る空気清浄通知方法を実行するための装置５００を示すブロック図である。例えば、装置５００をサーバとして提供してもよい。図５を参照すると、装置５００は、プロセスアセンブリ５２２を備える。当該プロセスアセンブリ５２２は、一つ以上のプロセッサ、及びメモリ５３２を代表とするメモリリソースを、さらに備える。当該メモリリソースは、プロセスアセンブリ５２２によって実行される、例えばアプリケーションプログラムのような命令を保存する。メモリ５３２中に保存されたアプリケーションプログラムには、それぞれ一つの命令のセットに対応する一つ以上のモジュールを含まれてもよい。なお、プロセスアセンブリ５２２は、命令を実行することにより、上記の空気清浄通知方法を実行する。
【００７６】
装置５００は、装置５００の電源を管理するための一つの電源アセンブリ５２６、装置５００をネットワークに接続させるための一つの有線又は無線のネットワークインターフェイス５５０、及び、一つの入出力インターフェイス５５８を備えてもよい。装置５００は、メモリ５３２に保存された、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭのようなオペレーティング・システムによって、操作を行うことができる。
【００７７】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００７８】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【国際調査報告】
2017500534.tif 000008
2017500534.tif 000009
2017500534.tif 000010
2017500534.tif 000011
2017500534.tif 000012
2017500534.tif 000013